(57)【要約】【課題】立体画像の表示におけるクロストークの発生を抑制する。【解決手段】液晶パネルは、画素電極が形成されてなる第１の基板と、第１の基板の画素電極が形成された面と対向して離間配置される第２の基板と、第１の基板と第２の基板との間に配置された液晶層とを備え、画素電極は、間隔をおいて並設された複数の帯状部分を有し、帯状部分の延在方向は、遮光バリアのスリット部の開口方向と略直交する。本技術は、例えば、立体画像を表示する表示装置に適用することができる。【選択図】図３
2013125984.tif 000002
【特許請求の範囲】
【請求項１】
左眼用画像と右眼用画像とを表示する液晶パネルと、両眼視差を生じさせるスリット部および遮光部を有する遮光バリアとを備える液晶表示装置において、
前記液晶パネルは、
画素電極が形成されてなる第１の基板と、
前記第１の基板の前記画素電極が形成された面と対向して離間配置される第２の基板と、
前記第１の基板と前記第２の基板との間に配置された液晶層と
を備え、
前記画素電極は、間隔をおいて並設された複数の帯状部分を有し、
前記帯状部分の延在方向は、前記スリット部の開口方向と略直交する
液晶表示装置。
【請求項２】
画像表示の際の矩形形状の画素領域が縦長の状態である場合、
前記画素電極の前記帯状部分は、前記矩形形状の短手方向に延在する
請求項１に記載の液晶表示装置。
【請求項３】
前記遮光バリアにストライプ状の前記スリット部および前記遮光部を形成させ、観察者の位置に応じて、前記遮光バリアにおける前記遮光部の位置を移動させるように前記遮光バリアを駆動させるバリア駆動部と、
前記左眼用画像および前記右眼用画像を表示させるための光を前記液晶パネルに入射させるバックライトとをさらに備え、
前記遮光バリアは、前記液晶パネルと前記バックライトの間に配置される
請求項１に記載の液晶表示装置。
【請求項４】
画像表示の際の矩形形状の画素領域は、横長の状態であり、
前記画素電極の前記帯状部分は、前記矩形形状の長手方向に延在する
請求項３に記載の液晶表示装置。
【請求項５】
画像信号に基づいて表示を行う液晶表示装置と、
所定の処理により前記画像信号を生成する処理部と
を有し、
前記液晶表示装置は、
左眼用画像と右眼用画像とを表示する液晶パネルと、両眼視差を生じさせるスリット部および遮光部を有する遮光バリアとを備える液晶表示装置であって、
前記液晶パネルは、
画素電極が形成されてなる第１の基板と、
前記第１の基板の前記画素電極が形成された面と対向して離間配置される第２の基板と、
前記第１の基板と前記第２の基板との間に配置された液晶層と
を備え、
前記画素電極は、間隔をおいて並設された複数の帯状部分を有し、
前記帯状部分の延在方向は、前記スリット部の開口方向と略直交する
電子機器。
【発明の詳細な説明】
【技術分野】
【０００１】
本技術は、液晶表示装置および電子機器に関し、特に、立体画像の表示におけるクロストークの発生を抑制することができるようにする液晶表示装置および電子機器に関する。
【背景技術】
【０００２】
従来、パララックスバリア方式（視差バリア方式）や、レンチキュラーレンズ方式などにより、特殊な眼鏡を必要とせずに立体画像を表示させる表示装置が知られている。
【０００３】
このような、表示装置のうち、パララックスバリア方式により立体画像を表示させる表示装置において、パララックスバリアの開口部での回折によって適視距離が狭まることを避けるために、回折光の到達角度範囲を均一にさせるようにしたものがある（例えば、特許文献１参照）。
【先行技術文献】
【特許文献】
【０００４】
【特許文献１】特開２００９−５３４７３号公報
【発明の概要】
【発明が解決しようとする課題】
【０００５】
しかしながら、例えば、FFS（Fringe Field Switching）モードの液晶表示装置においては、櫛歯形状の画素電極によって決まる液晶の配向と、画素電極のスリットピッチとに応じて、画素毎の液晶が液晶位相回折格子として働いてしまい、右眼用画像と左眼用画像とが少なくともいずれかの目により一度に観察されてしまう、いわゆるクロストークが発生しやすくなっていた。
【０００６】
特に、従来、櫛歯形状の画素電極において、その櫛歯は矩形形状の画素領域の長手方向に延在するように形成されているため、矩形形状の画素領域がポートレート（縦長）の状態にある場合、画素電極のスリット方向とパララックスバリアの開口方向とが平行になってしまい（いずれも縦方向になってしまい）、液晶位相回折格子によるクロストークの影響が大きくなってしまう恐れがあった。
【０００７】
本技術は、このような状況に鑑みてなされたものであり、立体画像の表示におけるクロストークの発生を抑制することができるようにするものである。
【課題を解決するための手段】
【０００８】
本技術の一側面の液晶表示装置は、左眼用画像と右眼用画像とを表示する液晶パネルと、両眼視差を生じさせるスリット部および遮光部を有する遮光バリアとを備える液晶表示装置であって、前記液晶パネルが、画素電極が形成されてなる第１の基板と、前記第１の基板の前記画素電極が形成された面と対向して離間配置される第２の基板と、前記第１の基板と前記第２の基板との間に配置された液晶層とを備え、前記画素電極は、間隔をおいて並設された複数の帯状部分を有し、前記帯状部分の延在方向は、前記スリット部の開口方向と略直交する。
【０００９】
画像表示の際の矩形形状の画素領域が縦長の状態である場合、前記画素電極の前記帯状部分は、前記矩形形状の短手方向に延在するようにすることができる。
【００１０】
前記遮光バリアにストライプ状の前記スリット部および前記遮光部を形成させ、観察者の位置に応じて、前記遮光バリアにおける前記遮光部の位置を移動させるように前記遮光バリアを駆動させるバリア駆動部と、前記左眼用画像および前記右眼用画像を表示させるための光を前記液晶パネルに入射させるバックライトとをさらに設け、前記遮光バリアは、前記液晶パネルと前記バックライトの間に配置されるようにすることができる。
【００１１】
画像表示の際の矩形形状の画素領域は、横長の状態であり、前記画素電極の前記帯状部分は、前記矩形形状の長手方向に延在するようにすることができる。
【００１２】
本技術の一側面の電子機器は、画像信号に基づいて表示を行う液晶表示装置と、所定の処理により前記画像信号を生成する処理部とを有し、前記液晶表示装置は、左眼用画像と右眼用画像とを表示する液晶パネルと、両眼視差を生じさせるスリット部および遮光部を有する遮光バリアとを備える液晶表示装置であって、前記液晶パネルは、画素電極が形成されてなる第１の基板と、前記第１の基板の前記画素電極が形成された面と対向して離間配置される第２の基板と、前記第１の基板と前記第２の基板との間に配置された液晶層とを備え、前記画素電極は、間隔をおいて並設された複数の帯状部分を有し、前記帯状部分の延在方向は、前記スリット部の開口方向と略直交する。
【００１３】
本技術の一側面においては、画素電極が形成されてなる第１の基板と、第１の基板の画素電極が形成された面と対向して離間配置される第２の基板と、第１の基板と第２の基板との間に配置された液晶層とを備え、画素電極が、間隔をおいて並設された複数の帯状部分を有し、帯状部分の延在方向が、スリット部の開口方向と略直交する。
【発明の効果】
【００１４】
本技術の一側面によれば、立体画像の表示におけるクロストークの発生を抑制することが可能となる。
【図面の簡単な説明】
【００１５】
【図１】本技術を適用した立体画像表示装置の一実施の形態の構成例を示す図である。
【図２】表示部の構成例を示す図である。
【図３】光変調パネルの構造を示す断面図である。
【図４】従来の画素電極の形状について説明する図である。
【図５】本技術の画素電極の形状について説明する図である。
【図６】画素電極の形状について説明する図である。
【図７】画素電極の形状について説明する図である。
【図８】表示部の他の構成例を示す図である。
【図９】パララックスバリアを形成する電極について説明する図である。
【図１０】パララックスバリアのシフトについて説明する図である。
【図１１】パララックスバリアのシフトについて説明する図である。
【図１２】本技術の電子機器への適用例について説明する図である。
【図１３】本技術の電子機器への適用例について説明する図である。
【図１４】本技術の電子機器への適用例について説明する図である。
【図１５】本技術の電子機器への適用例について説明する図である。
【図１６】本技術の電子機器への適用例について説明する図である。
【発明を実施するための形態】
【００１６】
以下、本技術の実施の形態について図を参照して説明する。なお、説明は以下の順序で行う。
１．第１の実施の形態
２．第２の実施の形態
３．電子機器への適用例
【００１７】
＜１．第１の実施の形態＞
［立体画像表示装置の構成例］
図１は、本技術を適用した立体画像表示装置の一実施の形態の構成例を示す図である。
【００１８】
立体画像表示装置１１は、パララックスバリア方式による３次元の立体画像と、２次元の平面画像との表示の切り替えを必要に応じて行いながら、立体画像や平面画像を表示するものである。立体画像表示装置１１は、表示部２１、制御部２２、およびパララックスバリア駆動部２３から構成される。
【００１９】
表示部２１は、バックライト３１、パララックスバリア３２、および光変調パネル３３からなり、観察者の右眼で観察（知覚）される右眼用画像と、観察者の左眼で観察される左眼用画像とからなる３次元の立体画像や、２次元の平面画像を表示する。
【００２０】
すなわち、バックライト３１は、導光板、LED（Light Emitting Diode）等の光源、反射シートなどからなる画像ディスプレイ専用の照明装置であり、画像を表示させるための光を射出し、パララックスバリア３２を介して光変調パネル３３に入射させる。
【００２１】
パララックスバリア３２は、偏光板やスイッチ液晶層などからなり、立体画像の表示時において、バックライト３１から入射した光の一部を遮光し、残りの一部を透過させることで、右眼用画像と左眼用画像とを光学的に分離させる。また、パララックスバリア３２は、平面画像の表示時においては、バックライト３１から入射した光をそのまま透過させる。
【００２２】
光変調パネル３３は、Ｒ，Ｇ，Ｂの各色のカラーフィルタ、液晶層、偏光板、薄膜トランジスタなどからなる液晶表示パネルであり、パララックスバリア３２から入射した光を透過させることで、画像を表示させる。このとき、光変調パネル３３は、光変調パネル３３に設けられた画素ごとに、光の透過率を変化させることで、画像の各画素の階調表示を行う。
【００２３】
制御部２２は、立体画像表示装置１１の各部、すなわち表示部２１やパララックスバリア駆動部２３を制御する。例えば、制御部２２は、表示部２１の図示せぬ表示ドライバを駆動させて光変調パネル３３に画像を表示させたり、バックライト３１から光を射出させたりする。
【００２４】
パララックスバリア駆動部２３は、制御部２２の制御にしたがって、パララックスバリア３２を駆動させ、バックライト３１から光変調パネル３３に入射する光の一部を遮光させることで、右眼用画像と左眼用画像とを分離させる。より具体的には、パララックスバリア駆動部２３は、パララックスバリア３２に、光を透過させるスリット領域と、光を遮光する遮光領域とを形成させる。
【００２５】
［表示部の構成例］
次に、図２を参照して、図１の表示部２１の詳細な構成例について説明する。なお、図２の表示部２１において、図１の表示部２１に対応する部分には同一の符号を付し、その説明は適宜省略する。また、図２において横方向、奥行き方向、および縦方向を、それぞれｘ方向、ｙ方向、およびｚ方向とする。
【００２６】
図２に示される表示部２１においては、パララックスバリア３２が、バックライト３１と光変調パネル３３との間に配置されているが、光変調パネル３３が、バックライト３１とパララックスバリア３２との間に配置されるようにしてもよい。
【００２７】
図２において、パララックスバリア３２は、偏光板５１、偏光板６１、透明基板６２、透明基板６３、およびスイッチ液晶層６４から構成されている。図２では、偏光板６１は、パララックスバリア３２を構成する部材としても、光変調パネル３３を構成する部材としても用いられている。
【００２８】
パララックスバリア３２では、対向して配置された偏光板５１と偏光板６１の間に、平板状の透明基板６２と透明基板６３が互いに対向するように設けられている。そして、透明基板６２と透明基板６３との間にスイッチ液晶層６４が形成されている。
【００２９】
透明基板６２と透明基板６３のスイッチ液晶層６４側の面には、電極が形成されており、この電極の一部または全部に電圧が印加されると、スイッチ液晶層６４内の液晶分子の配向方向が変化する。これにより、スイッチ液晶層６４には、パララックスバリア（視差バリア）が形成される。
【００３０】
図２の例では、バックライト３１から入射した光を透過させるスリット領域７１−１乃至スリット領域７１−６と、バックライト３１から入射した光を遮光する遮光領域７２−１乃至遮光領域７２−７とからなるパララックスバリアが、スイッチ液晶層６４に形成されている。
【００３１】
なお、以下においては、スリット領域７１−１乃至スリット領域７１−６を個々に区別する必要のない場合、単にスリット領域７１とも称し、遮光領域７２−１乃至遮光領域７２−７を個々に区別する必要のない場合、単に遮光領域７２とも称する。
【００３２】
表示部２１では、立体画像の表示時には、透明基板６２と透明基板６３の電極に電圧が印加されて、スイッチ液晶層６４にパララックスバリアが形成される。このような場合、バックライト３１から射出され、偏光板５１で直線偏光とされた光のうち、スリット領域７１に入射した光は、そのままスリット領域７１および偏光板６１を透過する。これに対して、バックライト３１から射出され、偏光板５１で直線偏光とされた光のうち、遮光領域７２に入射した光は、遮光領域７２に吸収されてパララックスバリア３２からは射出されない。
【００３３】
また、表示部２１では、平面画像の表示時には、透明基板６２と透明基板６３の電極に電圧は印加されず、スイッチ液晶層６４にパララックスバリアが形成されない。つまり、スイッチ液晶層６４の全領域がスリット領域７１と同じ状態となる。この場合、バックライト３１から入射した光は全て、パララックスバリア３２を透過して、光変調パネル３３に入射することになる。
【００３４】
光変調パネル３３は、偏光板６１、偏光板８１、対向基板８２、TFT（Thin Film Transistor）基板８３、および液晶層８４から構成されている。
【００３５】
すなわち、対向して配置された偏光板６１と偏光板８１の間に、平板状の対向基板８２とTFT基板８３とが互いに対向するように設けられている。そして、対向基板８２とTFT基板８３との間に液晶層８４が形成されている。
【００３６】
対向基板８２の液晶層８４側の面には、画素ごとにカラーフィルタが設けられている。具体的には、対向基板８２の各画素の領域には、Ｒ，Ｇ，Ｂの各色のカラーフィルタが設けられている。また、TFT基板８３の液晶層８４側の面には、共通電極や画素電極、駆動素子であるTFT（薄膜トランジスタ）が画素ごとに設けられている。
【００３７】
液晶層８４には、立体画像表示時に、左眼用画像を表示するための光を透過させる透過部９１Ｌ−１乃至透過部９１Ｌ−６と、立体画像表示時に、右眼用画像を表示するための光を透過させる透過部９１Ｒ−１乃至透過部９１Ｒ−６とが設けられている。光変調パネル３３では、行列状に配置された各画素に１つの透過部が設けられている。
【００３８】
立体画像または平面画像の表示時においては、制御部２２の制御により、TFT基板８３の共通電極および画素電極に電圧が印加されると、その電圧の大きさに応じて、透過部９１Ｌ−１乃至透過部９１Ｒ−６内に封入されている液晶分子の配向方向が変化する。これにより、バックライト３１からパララックスバリア３２を介して光変調パネル３３に入射した光の透過率が変化し、各画素を透過する光の量が、それらの画素に表示される画像の画素の画素値に対応する光量となる。
【００３９】
なお、以下においては、透過部９１Ｌ−１乃至透過部９１Ｌ−６を個々に区別する必要のない場合、単に透過部９１Ｌとも称し、透過部９１Ｒ−１乃至透過部９１Ｒ−６を個々に区別する必要のない場合、単に透過部９１Ｒとも称する。また、透過部９１Ｌと透過部９１Ｒを特に区別する必要のない場合、単に透過部９１とも称する。
【００４０】
光変調パネル３３では、ｘｙ平面上において、透過部９１Ｌと透過部９１Ｒとがｘ方向に交互に設けられており、ｙ方向には、透過部９１Ｌまたは透過部９１Ｒのいずれかが連続して並べられている。
【００４１】
したがって、立体画像の表示時において、光変調パネル３３には、立体画像を構成する左眼用画像用の矩形形状の領域と、立体画像を構成する右眼用画像用の矩形形状の領域とがｘ方向に交互に並べられて表示される。また、１つの画素、すなわち１つの透過部９１を透過する光が、画像上の１つの画素を表示する光となる。
【００４２】
ここで、立体画像を構成する左眼用画像と右眼用画像は、互いに視差を有する画像であるが、図２におけるｘ方向が、左眼用画像と右眼用画像の視差の方向（視差方向）、つまり観察者の左右の眼が並ぶ方向となる。
【００４３】
また、２次元の平面画像の表示時においては、各透過部９１は、バックライト３１からパララックスバリア３２を介して入射してきた、平面画像を表示させるための光を透過させ、観察者の眼に入射させる。
【００４４】
［光変調パネルの構造］
次に、図３を参照して、図２の光変調パネル３３の詳細な構造について説明する。図３は、光変調パネル３３の１画素分の断面図を示している。なお、図３の光変調パネル３３において、図２の光変調パネル３３に対応する部分には同一の符号を付し、その説明は適宜省略する。
【００４５】
図３に示されるように、TFT基板８３の液晶層８４に接する面には、３層の絶縁膜１０１乃至１０３、共通電極１０４、絶縁膜１０５、画素電極１０６、および配向膜１０７が順に形成されている。共通電極１０４は、例えばITO等の透明な導電性材料からなり、絶縁膜１０３の上に、一面にわたって形成されている。画素電極１０６もまた、例えばITO等の透明な導電性材料からなる。また、TFT基板８３の反対の面には、偏光板６１が形成されている。
【００４６】
また、図３に示されるように、対向基板８２の液晶層８４に接する面には、カラーフィルタ１１１および配向膜１１２が順に形成されている。カラーフィルタ１１１は、Ｒ，Ｇ，Ｂの３色のカラーフィルタが周期的に配列されて構成されている。また、対向基板８２の反対の面には、偏光板８１が形成されている。
【００４７】
液晶層８４は、電界の状態に応じて、通過する光を変調するものであり、共通電極１０４と画素電極１０６との間に電位差を与えることにより、TFT基板８３に対して平行な電界（横電界）が発生し、液晶分子ｍの配向方向が変化する。すなわち、光変調パネル３３は、FFSモードでの表示を行う。
【００４８】
また、詳細な説明は省略するが、図３に示されるように、薄膜トランジスタTrが、絶縁膜１０１乃至１０３と同じ層に形成されている。
【００４９】
［画素電極の構造］
ここで、画素電極の形状について説明する。
【００５０】
図４の左側には、１画素に対応するカラーフィルタ１１１が示されている。図４のカラーフィルタ１１１は、赤色（Ｒ）の光のみを透過させるカラーフィルタ１１１Ｒ、緑色（Ｇ）の光のみを透過させるカラーフィルタ１１１Ｇ、および青色（Ｂ）の光のみを透過させるカラーフィルタ１１１Ｂから構成される。
【００５１】
すなわち、本実施の形態において、１画素は、３色のカラーフィルタ１１１Ｒ，１１１Ｇ，１１１Ｂに対応する３つのサブ画素から構成されている。そして、それぞれのサブ画素は、ストライプ状に配列されるストライプ配列をなしており、画像表示の際の矩形形状の画素領域がｙ方向に長いポートレート（縦長）の状態とされている。
【００５２】
図４の右側には、FFSモードでの表示を行う液晶表示パネルにおける従来の画素電極１５１が示されている。画素電極１５１は、サブ画素単位に形成されており、それぞれ櫛歯形状に形成されている。そして、この櫛歯形状の画素電極１５１において、その櫛歯は、パララックスバリアの開口方向、すなわちｙ方向と平行に形成されている。
【００５３】
この場合、パララックスバリアの開口方向に直交する方向に位相回折が起こり、立体画像の表示におけるクロストークが発生してしまう。
【００５４】
図５は、１画素に対応するカラーフィルタ１１１と、本実施の形態の画素電極１０６とを示している。なお、図５の左側に示されるカラーフィルタ１１１は、図４で説明したカラーフィルタ１１１と同一であるので、その説明は省略する。
【００５５】
図５の右側に示される画素電極１０６もまた、サブ画素単位に形成されており、それぞれ櫛歯形状に形成されている。そして、この櫛歯形状の画素電極１０６において、その櫛歯は、視差方向、すなわちｘ方向と平行に形成されている。言い換えると、画素電極１０６のそれぞれは、間隔をおいて並設された複数の帯状部分を有し、その帯状部分の延在方向は、パララックスバリアの開口方向と直交するように形成されている。すなわち、画素電極の帯状部分は、矩形形状の画素領域の短手方向に延在するように形成されている。
【００５６】
以上の構成によれば、櫛歯形状の画素電極によって決まる液晶の配向と、画素電極のスリットピッチとに応じて、画素毎の液晶が液晶位相回折格子として働いてしまう場合であっても、画素電極のスリット方向とパララックスバリアの開口方向とは直交するようになる。したがって、パララックスバリアから画素に入射される光は、パララックスバリアの開口方向では、画素電極のスリット方向に平行な平行光に近づくことはない。つまり、画素毎の液晶は、画素電極のスリット方向と直交する方向には液晶位相回折格子として働くことはないので、液晶位相回折格子によるクロストークの影響を大きく受けることなく、立体画像の表示におけるクロストークの発生を抑制することが可能となる。
【００５７】
なお、画像表示の際の矩形形状の画素領域がｘ方向に長いランドスケープ（横長）の状態とされている場合、サブ画素単位に形成される画素電極においては、従来の構成と同様に、帯状部分が矩形形状の画素領域の長手方向に延在するように形成されることで、その帯状部分の延在方向が、パララックスバリアの開口方向と直交するようになる。
【００５８】
また、図５においては、画素電極１０６の帯状部分の延在方向が、パララックスバリアの開口方向と直交するように、すなわち視差方向と平行となるように構成されるものとしたが、例えば、図６に示されるように、画素電極１０６の上側と下側とで、それぞれ視差方向（図中、横方向）と若干異なる方向に帯状部分を延在させて、デュアルドメイン化するようにしてもよい。
【００５９】
さらに、以上においては、サブ画素がストライプ配列で配列されているものとしたが、サブ画素が、格子状に配列されるモザイク配列で配列されるようにしてもよい。
【００６０】
すなわち、図７の左側に示されるように、カラーフィルタが、赤色（Ｒ）の光のみを透過させるカラーフィルタ２２１Ｒ、緑色（Ｇ）の光のみを透過させるカラーフィルタ２２１Ｇ、青色（Ｂ）の光のみを透過させるカラーフィルタ２２１Ｂ、および全ての色を透過させるカラーフィルタ２２１Ｗから構成されるものとする。この場合、図７の右側に示されるように、画素電極２２２は、サブ画素単位に形成され、間隔をおいて並設された複数の帯状部分を有し、その帯状部分の延在方向が、パララックスバリアのスリット方向と略直交するように、すなわち視差方向と平行に形成されるようにする。
【００６１】
また、以上において、上述した形状の画素電極は、FFSモードでの表示を行う光変調パネル（液晶表示パネル）に適用されるものとして説明してきたが、画素電極への電圧無印加時に液晶分子が画面に対して垂直に配向される、VA（Vertical Alignment）モードでの表示を行う光変調パネルに適用されるようにもできる。
【００６２】
＜２．第２の実施の形態＞
図８は、表示部の他の構成例を示す図である。
【００６３】
なお、図８の表示部３００において、図２の表示部２１に対応する部分には同一の符号を付し、その説明は適宜省略する。
【００６４】
すなわち、図８の表示部３００において、図２の表示部２１と異なる点は、パララックスバリア３２におけるスイッチ液晶層６４に代えて、スイッチ液晶層３０１を設けた点である。なお、図８に示される表示部３００においては、パララックスバリア３２が、バックライト３１と光変調パネル３３との間に配置される。
【００６５】
スイッチ液晶層３０１には、パララックスバリア駆動部２３によって、スリット領域と遮光領域とからなるパララックスバリアが形成される。特に、スイッチ液晶層３０１は、パララックスバリア駆動部２３によって、観察者の頭の位置に応じて、パララックスバリアにおけるスリット領域および遮光領域とが移動するようになされる。
【００６６】
［パララックスバリアを形成する電極について］
図９は、図８のパララックスバリア３２において、透明基板６２と透明基板６３のスイッチ液晶層３０１側の面に形成される電極の構成を示している。
【００６７】
図９に示されるように、透明基板６２と透明基板６３のスイッチ液晶層３０１側の面には、電極３１１が形成されている。なお、図９において、領域AAは、表示部３００の表示領域のアクティブエリアに対応する領域を示している。
【００６８】
電極３１１には、パララックスバリア駆動部２３により、観察者の頭の位置に基づいて、電圧が印加される。これにより、スイッチ液晶層３０１には、ストライプ状のパララックスバリア（遮光領域とスリット領域）が、ｙ方向に延在するようにして形成されるようになり、かつ、遮光領域とスリット領域とが観察者の頭の位置に応じて移動（シフト）するようになる。
【００６９】
ここで、観察者の位置に応じてシフトするパララックスバリアの動作について説明する。
【００７０】
図１０は、所定の時刻における観察者AUDの頭の位置と、スイッチ液晶層３０１および液晶層８４の状態を示している。
【００７１】
図１０において、スイッチ液晶層６４のマス目のそれぞれは、電極３１１によって形成される領域であり、白抜きの領域はスリット領域を、黒塗りされた領域は遮光領域を示している。図１０においては、領域４１１−１乃至４１１−５はスリット領域とされ、領域４１１−６乃至４１１−１０は遮光領域とされている。
【００７２】
また、液晶層８４のマス目のそれぞれは、各画素に対応する部分であり、「Ｒ」の文字が記されている部分は、右眼用画像を表示するための光を透過させる透過部を、「Ｌ」の文字が記されている部分は、左眼用画像を表示するための光を透過させる透過部を示している。図１０においては、図示せぬバックライト３１からの光BLR1が、領域４１１−３および透過部４２１Ｒを透過して観察者AUDの右眼に入射され、図示せぬバックライト３１からの光BLL1が、領域４１１−３および透過部４２１Ｌを透過して観察者AUDの左眼に入射されている。
【００７３】
図１０に示される状態から、観察者AUDが図中右側に移動すると、図１１に示されるように、領域４１１−２乃至４１１−６がスリット領域とされ、領域４１１−１，４１１−７乃至４１１−１０が遮光領域とされる。すなわち、観察者AUDの頭の位置に応じて、遮光領域とスリット領域の位置がシフトする。これにより、図１１においては、図示せぬバックライト３１からの光BLR2が、領域４１１−４および透過部４２１Ｒを透過して観察者AUDの右眼に入射され、図示せぬバックライト３１からの光BLL2が、領域４１１−４および透過部４２１Ｌを透過して観察者AUDの左眼に入射されるようになる。
【００７４】
このように、観察者AUDが移動した場合でも、観察者AUDは、透過部４２１Ｒ，４２１Ｌに対応する画像を観察（視聴）し続けることができる。
【００７５】
なお、本実施の形態では、画像表示の際の矩形形状の画素領域は、ｘ方向に長いランドスケープ（横長）の状態とされており、サブ画素単位に形成される画素電極においては、従来の構成（図４）と同様に、帯状部分が矩形形状の画素領域の長手方向（ｘ方向）に形成されている。すなわち、画素電極の帯状部分の延在方向は、パララックスバリアの開口方向と直交するようになされている。
【００７６】
また、観察者の頭の位置に応じて、パララックスバリアの遮光領域とスリット領域の位置をシフトさせる構成においては、スリット同士の間隔（スリットピッチ）が非常に小さく設計されており、パララックスバリア自体が回折格子として働いてしまう恐れがある。
【００７７】
しかしながら、図８に示されるように、パララックスバリア３２を、光変調パネル３３よりバックライト３１側に配置するようにしたので、光変調パネル３３をバックライト３１側に配置する場合と比較して、最終的に表示される画像に対するパララックスバリアの回折の影響を抑えることができ、立体画像の表示におけるクロストークの発生を抑制することが可能となる。
【００７８】
＜３．電子機器への適用例＞
次に、図１２乃至図１６を参照して、上述した実施の形態で説明した立体画像表示装置の適用例について説明する。上述した実施の形態の立体画像表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上述した実施の形態の立体画像表示装置は、外部から入力された画像信号あるいは内部で生成した画像信号を、画像として表示するあらゆる分野の電子機器に適用することが可能である。
【００７９】
（適用例１）
図１２は、上述した実施の形態の立体画像表示装置が適用されるテレビジョン装置の外観を示している。このテレビジョン装置は、例えば、フロントパネル５１１およびフィルタガラス５１２を含む映像表示画面部５１０を有しており、この映像表示画面部５１０は、上述した実施の形態に係る立体画像表示装置の表示部により構成されている。
【００８０】
（適用例２）
図１３は、上述した実施の形態の立体画像表示装置が適用されるデジタルカメラの外観を示している。このデジタルカメラは、例えば、フラッシュ用の発光部５２１、表示部５２２、メニュースイッチ５２３およびシャッターボタン５２４を有しており、その表示部５２２は、上述した実施の形態に係る立体画像表示装置の表示部により構成されている。
【００８１】
（適用例３）
図１４は、上述した実施の形態の立体画像表示装置が適用されるノート型パーソナルコンピュータの外観を示している。このノート型パーソナルコンピュータは、例えば、本体５３１、文字等の入力操作のためのキーボード５３２および画像を表示する表示部５３３を有しており、その表示部５３３は、上述した実施の形態に係る立体画像表示装置の表示部により構成されている。
【００８２】
（適用例４）
図１５は、上述した実施の形態の立体画像表示装置が適用されるビデオカメラの外観を示している。このビデオカメラは、例えば、本体部５４１、この本体部５４１の前方側面に設けられた被写体撮影用のレンズ５４２、撮影時のスタート／ストップスイッチ５４３および表示部５４４を有している。そして、その表示部５４４は、上述した実施の形態に係る立体画像表示装置の表示部により構成されている。
【００８３】
（適用例５）
図１６は、上述した実施の形態の立体画像表示装置が適用される携帯電話機の外観を示している。この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０またはサブディスプレイ７５０は、上述した実施の形態に係る立体画像表示装置の表示部により構成されている。
【００８４】
なお、以上においては、上述した実施の形態の立体画像表示装置は、２視点の画像を表示することで、観察者に対して立体画像を提供するものとしたが、立体画像に限らず、視点によって異なる複数の画像、すなわち多視点の画像を提供するようにしてもよい。具体的には、例えば、車の運転席と助手席とで異なる画像が視聴されるカーナビゲーションシステムに、本技術を適用するようにしてもよい。
【００８５】
また、本技術の実施の形態は、上述した実施の形態に限定されるものではなく、本技術の要旨を逸脱しない範囲において種々の変更が可能である。
【符号の説明】
【００８６】
１１  立体画像表示装置，  ２１  表示部，  ２２  制御部，  ２３  パララックスバリア駆動部，  ３１  バックライト，  ３２  パララックスバリア，  ３３  光変調パネル，  ６４  スイッチ液晶層，  ７１−１乃至７１−６，７１  スリット領域，  ７２−１乃至７２−７，７２  遮光領域，  ８２  対向基板，  ８３  TFT基板，  ８４  液晶層，９１Ｌ−１乃至９１Ｌ−６，９１Ｒ−１乃至９１Ｒ−６，９１  透過部，  １０６  画素電極
【図１】
2013125984.tif 000003
【図２】
2013125984.tif 000004
【図３】
2013125984.tif 000005
【図４】
2013125984.tif 000006
【図５】
2013125984.tif 000007
【図６】
2013125984.tif 000008
【図７】
2013125984.tif 000009
【図８】
2013125984.tif 000010
【図９】
2013125984.tif 000011
【図１０】
2013125984.tif 000012
【図１１】
2013125984.tif 000013
【図１２】
2013125984.tif 000014
【図１３】
2013125984.tif 000015
【図１４】
2013125984.tif 000016
【図１５】
2013125984.tif 000017
【図１６】
2013125984.tif 000018